(57)【特許請求の範囲】
【請求項１】
釣り用リールのリール本体に装着された糸巻用のスプールの糸繰り出し方向の回転を制動する釣り用リールのドラグ機構であって、
前記スプールに連動して回転し、環状の第１制動面を有する第１ディスクと、
前記リール本体に少なくとも前記糸繰り出し方向に回転不能に連結され、前記第１ディスクの前記第１制動面と対向する第２制動面を有し、第１ディスクを押圧する第２ディスクと
前記第２ディスクの押圧力を調整可能な調整機構と、
前記第１ディスクと第２ディスクとの間に前記両ディスクに接触可能に配置されたドラグディスクと、を備え
前記第１及び第２制動面の少なくともいずれかは、同芯に配置された複数の環状溝を有し、
前記複数の環状溝は、前記第１及び第２制動面の少なくともいずれかの外周縁より径方向内側に配置されている、釣り用リールのドラグ機構。
【請求項２】
前記釣り用リールはスピニングリールであり、
前記第１ディスクは、前記スプールの内周側に前記スプールと一体形成されており、
前記第２ディスクは、前記スプールを回転自在かつ軸方向移動不能に装着するとともに前記リール本体に対して回転不能なスプール軸に回転不能に装着されている、請求項１に記載の釣り用リールのドラグ機構。
【請求項３】
前記釣り用リールは両軸受リールであり、
前記第１ディスクは、前記スプールと連動して回転するメインギアであり、前記第２ディスクは、前記メインギアを回転自在に装着し、糸繰り出し方向への回転が禁止されたハンドル軸に回転不能に装着されている、請求項１に記載の釣り用リールのドラグ機構。
【請求項４】
前記ドラグディスクはフェルト製又はカーボングラファイト製である、請求項１から３のいずれか１項に記載の釣り用リールのドラグ機構。
【発明の詳細な説明】
【０００１】
【発明の属する技術分野】
本発明は、ドラグ機構、特に、釣り用リールのリール本体に装着された糸巻用のスプールの糸繰り出し方向の回転を制動する釣り用リールのドラグ機構に関する。
【０００２】
【従来の技術】
スピニングリールや両軸受リールや片軸受リール等の釣り用リールには、スプールの糸繰り出し方向の回転を制動するドラグ機構が設けられている。ドラグ機構は、ドラグ操作部材の操作によりドラグ力を調整できる。一般に、釣り用リールのドラグ機構は、スプール又はスプールに連動する連動部材に設けられた第１ディスクと、第１ディスクに対向して設けられ、ドラグ操作部材の操作により第１ディスクに圧接可能な第２ディスクとを備えている。両軸受リールでは、ハンドル軸に螺合するスタードラグやリール本体に揺動自在に設けられたドラグレバー（ドラグ操作部材の一例）の操作により、第２ディスクを第１ディスク（たとえばメインギア）に対してハンドル軸やスプール軸の軸方向に相対移動させることで第１ディスクに圧接させてスプールを制動する。スピニングリールでは、スプール先端に設けられスプール軸に螺合するドラグつまみを回転させ、第２ディスクをスプール軸の軸方向に移動させることで第１ディスク（たとえばスプール）に圧接させてスプールを制動する。
【０００３】
この種の釣り用リールのドラグ機構では、ドラグ作動時に魚の引きにより両ディスクが一定の摩擦力で相対回転する。これにより安定したドラグ力が得られる。
【０００４】
【発明が解決しようとする課題】
摩擦力を利用した前記従来のドラグ機構では、静摩擦係数と動摩擦係数との違いからは、２つのディスクの摩擦力がドラグ作動開始当初大きくなりその後小さくなって設定されたドラグ力になる、いわゆる起動しゃくりが生じやすい。起動しゃくりが発生すると、釣り糸にかかる張力が急激に変化するので釣り糸がふけやすく、魚が釣り針から外れやすくなる。また、引きの違い、つまりドラグ作動時の釣り糸の繰り出し速度の違いによりドラグ力が変動する現象も生じやすい。このような現象が生じると、ドラグ力をせっかく正しく設定してもドラグ力が変動してドラグの設定を頻繁にやり直さなければならない。
【０００５】
本発明の課題は、釣り用リールのドラグ機構において、引きの違いよるドラグ力の変動を可及的に抑えることにある。
【０００６】
【課題を解決するための手段】
発明１に係る釣り用リールのドラグ機構は、釣り用リールのリール本体に装着された糸巻用のスプールの糸繰り出し方向の回転を制動する機構であって、第１ディスクと、第２ディスクと、調整機構と、ドラグディスクと、を備えている。第１ディスクは、スプールに連動して回転し、環状の第１制動面を有するものである。第２ディスクは、リール本体に少なくとも糸繰り出し方向に回転不能に連結され、第１ディスクの第１制動面と対向する第２制動面を有し、第１ディスクを押圧するものである。調整機構は、第２ディスクの押圧力を調整可能な機構である。この第１ディスクの第１及び第２ディスクの第２制動面の少なくともいずれかは、同芯に配置された複数の環状溝を有している。ドラグディスクは、第１ディスクと第２ディスクとの間に両ディスクに接触可能に配置されている。複数の環状溝は、第１及び第２制動面の少なくともいずれかの外周縁より径方向内側に配置されている。
【０００７】
このドラグ機構では、ドラグが作動してスプールが糸繰り出し方向に回転すると、第１ディスクがスプールに連動して回転し、第２ディスクと相対回転する。このとき、このとき第２ディスクが第１ディスクを押圧してスプールが制動される。この押圧力は調整機構により調整でき、ドラグ力を任意に調整できる。ここでは、いずれかの制動面に回転方向に沿う環状溝が形成されているので、図５及び図６に示すように、糸繰り出し速度に対する依存度合いが小さくなる。このため、引きの違いによるドラグ力の変動を抑えることができる。
【０００８】
また、環状溝が同芯に配置されているので加工の際に持ち替える必要がなくなり、環状溝の形成が容易である。
【０００９】
さらに、両ディスクが直接摩擦する構成に比べて間にドラグディスクが介装されるので、ドラグ力の変動をさらに抑えることができる。
【００１０】
発明２に係る釣り用リールのドラグ機構は、発明１に記載の機構において、釣り用リールはスピニングリールであり、第１ディスクは、スプールの内周側にスプールと一体形成されており、第２ディスクは、スプールを回転自在かつ軸方向移動不能に装着されるとともにリール本体に対して回転不能なスプール軸に回転不能に装着されている。この場合には、スプールと第１ディスクとが一体であるので、ドラグ機構の構成が簡素になる。
【００１１】
発明３に係る釣り用リールのドラグ機構は、発明１に記載の機構において、釣り用リールは両軸受リールであり、第１ディスクは、スプールと連動して回転するメインギアであり、第２ディスクは、メインギアを回転自在に装着し、糸繰り出し方向への回転が禁止されたハンドル軸に回転不能に装着されている。この場合には、両軸受リールのスタードラグ型のドラグ機構において、起動しゃくり及び繰り出し速度によるドラグ変動を抑えることができる。
【００１２】
発明４に係る釣り用リールのドラグ機構は、発明１から３のいずれかに記載の機構において、ドラグディスクはフェルト製又はカーボングラファイト製である。ドラグディスクがフェルト製の場合には、摩擦係数が小さくなって起動しゃくりや速度によるドラグ力の変動をさらに抑えることができる。また、ドラグディスクがカーボングラファイト製の場合には、熱による変形が少なくなり、特にディスク枚数が増えた場合でも安定したドラグ性能が得られる。
【００１３】
【発明の実施の形態】
〔全体構成〕
図１において、本発明の一実施形態を採用したスピニングリールは、釣り竿に装着可能なリール本体２と、リール本体２に左右軸回りに回転自在に装着されたハンドル組立体１と、ロータ３と、スプール４とを備えている。ロータ３は、糸開放姿勢と糸巻取姿勢とに揺動可能なベールアーム４０を有しており、ハンドル組立体１の回転に連動して回転して釣り糸をスプール４に案内するものである。ロータ３は、リール本体２の前部に前後軸回りに回転自在に支持されている。スプール４は、ロータ３により案内された釣り糸を外周面に巻き取るものであり、ロータ３の前部に前後軸方向に往復移動自在に配置されている。
【００１４】
〔リール本体の構成〕
リール本体２は、図２に示すように、リール本体２の主部を構成するマグネシウム合金製のリールボディ２ａと、リールボディ２ａから斜め上前方に一体で延びるＴ字状の竿取付脚２ｂとを有している。
【００１５】
リールボディ２ａは、内部に機構装着用の空間を有しており、その空間内には、図２に示すように、ロータ３をハンドル組立体１の回転に連動して回転させるロータ駆動機構５と、スプール４を前後に移動させて釣り糸を均一に巻き取るためのオシレーティング機構６とが設けられている。
【００１６】
〔ロータ駆動機構の構成〕
ロータ駆動機構５は、ハンドル組立体１が回転不能に装着されたマスターギア１１と、このマスターギア１１に噛み合うピニオンギア１２とを有している。
【００１７】
マスターギア１１は、フェースギアであり、マスターギア軸１０と一体形成されている。マスターギア軸１０は中心にハンドル組立体１が回転不能に係止される係止孔１０ａが形成された、たとえばステンレス製の中空の部材であり、その両端が、軸受を介してリールボディ２ａに回転自在に支持されている。
【００１８】
ピニオンギア１２は、筒状の部材であり前後方向に沿って配置されリールボディ２ａに回転自在に装着されている。ピニオンギア１２の前部１２ａはロータ３の中心部を貫通しており、この貫通部分でナット３３によりロータ３と固定されている。ピニオンギア１２は、軸方向の中間部と後端部とでそれぞれ軸受１４ａ，１４ｂを介してリールボディ２ａに回転自在に支持されている。このピニオンギア１２の内部をスプール軸１５が貫通している。ピニオンギア１２は、マスターギア１１に噛み合うとともに図示しない連結機構を介してオシレーティング機構６にも噛み合っている。
【００１９】
〔オシレーティング機構の構成〕
オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２は、螺軸２１の螺旋状溝に係合する係合部材（図示せず）を有している。スライダ２２は、螺軸２１と平行に配置された上下２本のガイド軸２４，２４に移動自在に支持されている。スライダ２２にはスプール軸１５の後端が回転不能に固定されている。中間ギア２３は、連結機構を介してピニオンギア１２に噛み合っている。
【００２０】
〔ロータの構成〕
ロータ３は、ピニオンギア１２に固定された円筒部３０と、円筒部３０の側方に互いに対向して設けられた第１及び第２ロータアーム３１，３２と、釣り糸をスプール４に案内するためのベールアーム４０とを有している。円筒部３０と両ロータアーム３１，３２とは、たとえばアルミニウム合金製であり一体成形されている。
【００２１】
図３に示すように、円筒部３０の前部には前壁４１が形成されており、前壁４１の中心部には、後方に突出するボス部４２が形成されている。このボス部４２の中心部にはピニオンギア１２に回転不能に係止される貫通孔が形成されており、この貫通孔をピニオンギア１２の前部１２ａ及びスプール軸１５が貫通している。
【００２２】
ピニオンギア１２の前部１２ａにはナット３３が螺合しており、このナット３３によりピニオンギア１２の先端部にロータ３が回転不能に固定される。ナット３３の内周側には、軸受３５が配置されている。軸受３５は、スプール軸１５とピニオンギア１２の内面との間に隙間を確保するために設けられている。ナット３３及び軸受３５の前面には、内周側にリップを有するシール部材３６が装着されている。シール部材３６の先端はスプール軸１５に接触している。これによりスプール軸１５からリール本体２の内部への液体の浸入を防止できる。
【００２３】
ボス部４２に隣接して前述した逆転防止機構５０が配置されている。逆転防止機構５０は、図２に示すように、ワンウェイクラッチ５１と、ワンウェイクラッチ５１を作動状態（逆転禁止状態）と非作動状態（逆転許可状態）とに切り換える切換機構５２とを有している。
【００２４】
ワンウェイクラッチ５１は、ピニオンギア１２に内輪５１ａが回転不能に装着され、リールボディ２ａの前部に外輪５１ｂが回転不能に装着された内輪遊転型のローラ形のワンウェイクラッチである。
【００２５】
切換機構５２は、図２に示すようにストッパ軸５３を有している。ストッパ軸５３は、リールボディ２ａに非作動姿勢と作動姿勢との間で揺動自在に装着されている。ストッパ軸５３は、操作のためにリールボディ２ａ及び保護カバー１３を貫通して後方に突出したストッパつまみ５３ａと、ストッパつまみ５３ａが固定された軸部５３ｂと、軸部５３ｂの先端に固定されたカム部５３ｃとを有している。
【００２６】
〔スプールの構成〕
スプール４は、図２に示すように、冷間鍛造されたアルミニウム合金製の浅溝形のものであり、ロータ３の第１ロータアーム３１と第２ロータアーム３２との間に配置されている。スプール４は、スプール軸１５の先端部にドラグ機構６０を介して連結されている。スプール４は、外周に釣り糸が巻かれる糸巻胴部４ａと、糸巻胴部４ａの後部に一体で形成されたスカート部４ｂと、糸巻胴部４ａの前端に設けられたフランジ部４ｃとを有している。
【００２７】
糸巻胴部４ａは、図３及び図４に示すように、中心に筒状のボス部４ｇを有し、ボス部４ｇ外周との間に筒状のドラグ収納部４ｈとを有する略３重の円筒状の部材であり、外周側の円筒部分の外周面はスプール軸１５と平行な周面で構成されている。糸巻胴部４ａは、ボス部４ｇに装着された２つの軸受５６，５７によりスプール軸１５に回転自在に装着されている。ドラグ収納部４ｈと外周部とを連結する壁部４ｉには、周方向に間隔を隔てて多数の円形の透孔４ｊが形成されている。この透孔４ｊによりスプール４の強度を維持して軽量化を図っている。また、ドラグ収納部４ｈとボス部４ｇとを連結する環状の壁部４ｋの前面には、ドラグ性能を向上させるための同芯に配置された２つの環状溝８５が形成されている。
【００２８】
スカート部４ｂは、糸巻胴部４ａの後端部から径方向に拡がった後に後方に延びる有底円筒部材である。スカート部４ｂの後部にも軽量化と意匠の向上を図るために透孔４ｍが形成されている。
【００２９】
フランジ部４ｃは、糸巻胴部４ａの前端部から径方向外方に一体的に形成された立ち上がり部４ｄと、立ち上がり部４ｄに着脱自在に装着された金属又はセラミック製のリング部４ｅとを有している。リング部４ｅは、糸巻胴部４ａの内周面にねじ込まれたフランジ固定部材４ｆにより立ち上がり部４ｄに固定されている。
【００３０】
スプール４は、スプール軸１５に装着された位置決めワッシャ５４に当接して位置決めされている。
【００３１】
〔ドラグ機構の構成〕
ドラグ機構６０は、スプール４とスプール軸１５との間に装着されスプール４にドラグ力を作用させるための機構である。ドラグ機構６０は、図３に示すように、ドラグ力を手で調整するためのつまみ部６１と、つまみ部６１によりスプール４側に押圧される複数枚のディスクからなる摩擦部６２とを有している。
【００３２】
つまみ部６１は、スプール軸１５に回転不能かつ軸方向移動自在に設けられた第１部材６３と、第１部材６３の軸方向前方に配置されスプール軸１５に螺合する第２部材６４と、第１部材６３と第２部材６４との間に装着された発音機構６５とを有している。
【００３３】
第１部材６３は、円筒部６３ａと円筒部６３ａより大径のリング状の鍔部６３ｂとを有する鍔付き円筒状の部材である。円筒部６３ａの内周部には、スプール軸１５に回転不能に係止する小判形状の係止孔６６が形成されている。第１部材６３の円筒部６３ａの後端面が摩擦部６２に当接する。第１部材６３の円筒部６３ａと糸巻胴部４ａの内側のドラグ収納部４ｈの内周面との間には、外部から摩擦部６２側への液体の侵入を防止するためのシール板７１が装着されている。シール板７１は、たとえば、ステンレス製のリング部材の周囲にＮＢＲ製の皿状の弾性部材をアウトサート成形して得られたシール部材であり、外周部にリップを有している。シール板７１は、スナップリング７９により図８左方に付勢されている。シール板７１の図８左側面には、リング状の突起部７１ｃが形成されている。この突起部７１ｃは、後述するカバー部材６８に当接して内周側への液体の侵入を防止している。シール板７１のリップは、ドラグ収納部４ｈの内周面にきつくはめ込まれた筒状の当接部材７６に当接している。当接部材７６は、内周面が機械加工された高精度の部品であり、このような当接部材７６の内周面にリップを接触させることによりシール性能を向上させることができる。
【００３４】
第２部材６４は、第１部材６３と対向しかつ第１部材６３と相対回動自在に設けられている。第２部材６４は、第１部材６３のスプール軸１５方向前方に並べて配置されたつまみ本体６７と、つまみ本体６７の外周部に先端が固定され第１部材６３を内部に相対回動自在に収納するカバー部材６８とを有している。
【００３５】
つまみ本体６７は円盤状の部材であり、前面に前方に突出した略台形状のつまみ６７ａが形成されている。つまみ本体６７の内部には、スプール軸１５の先端に螺合するナット６９が回転不能かつ軸方向移動自在に装着されている。また、第２部材６４とナット６９との間においてスプール軸１５の外周にはコイルばね７０が圧縮状態で配置されている。
【００３６】
カバー部材６８は、段付き有底筒状の部材であり、その底部を第１部材６３の円筒部６３ａが貫通している。また、底部にシール板７１の突起部７１ｃが当接している。カバー部材６８の筒部６８ａは、つまみ本体６７の外周面にたとえば２本のスプリングピン７４により固定されている。このような中空のスプリングピン７４は、中心孔から針金状の治具を挿入して引っ掛けることにより取り外すことができる。スプリングピン７４の先端外周側には、スプリングピン７４の抜け止めとカバー部材６８の先端外周部からの液体の浸入を防止するためのシールバンド７５が装着されている。シールバンド７５は断面が矩形の弾性体製の環状体であり、僅かに伸長した状態で装着されている。
【００３７】
摩擦部６２は、第１部材６３に接触するディスク部材（第２ディスクの一例）８１と、ディスク部材８１に装着されたドラグ発音機構８３と、スプール４の円板状の壁部（第１ディスクの一例）４ｋと、ディスク部材８１と壁部４ｋとの間に配置されたドラグディスク８２とを有している。ディスク部材８１は内円板部８１ａと、内円板部８１ａの外周側から後方に延びる円筒部８１ｂと、円筒部８１ｂの後端部から径方向外方に延びる外円板部８１ｃとを有している。ディスク部材８１は、内円板部８１ａがスプール軸１５に係止され、スプール軸１５に対して回転不能である。また、外円板部８１ｃにドラグ発音機構８３が装着されるとともに、グラファイト製のドラグディスク８２を介して壁部４ｋの前面に接触している。ドラグ発音機構８３は、スプール軸１５とスプール４との相対回動時、つまりドラグ作動時に発音する。
【００３８】
このように構成されたドラグ機構６０では、壁部４ｋに回転方向に沿う２本の環状溝８５が形成されているので、引きの違いによる釣り糸の繰り出し速度の影響を受けにくくなり、引きの強さに関わらずドラグ力が安定する。本発明の２本の環状溝８５が形成されたドラグ機構６０と環状溝がない従来のドラグ機構とで繰り出し速度の違いによる影響を実験した。この実験結果を図５及び図６に示す。ここで、図５は本発明によるドラグ機構を装着した本発明品の場合を示し、図６は環状溝がない従来品を示している。また、実線は１ｍ／ｓの低速で釣り糸を繰り出した場合を示し、破線は１０ｍ／ｓの高速で繰り出した場合を示す。
【００３９】
図５及び図６から明らかなように、本発明品では、高速時と低速時とでドラグ力の変動が少なく、変動幅は平均で略１７％程度である。これに対して環状溝がない従来品では平均で４０％となり、高速時と低速時とでかなり変動することがわかる。この結果、魚の引きの違いによっても設定されたドラグ力が実際のドラグ力に対して大きく変動していることがわかった。
【００４０】
このように、環状溝８５を形成することにより、ドラグ作動後のドラグ力を引きの違いに関わらず安定させることができる。
【００４１】
〔リールの操作及び動作〕
このスピニングリールでは、キャスティング時等の糸繰り出し時にはベールアーム４０を糸開放姿勢に倒す。この結果、釣り糸は仕掛けの自重によりスプール４の先端側から順に繰り出される。
【００４２】
糸巻取時には、ベールアーム４０を糸巻取姿勢側に戻す。これは、ハンドル組立体１を糸巻取方向に回転させると、ベール反転機構（図示せず）の働きにより自動的に行われる。ハンドル組立体１の回転力は、マスターギア軸１０及びマスターギア１１を介してピニオンギア１２に伝達される。ピニオンギア１２に伝達された回転力は、その前部１２ａからロータ３に伝達されるとともにピニオンギア１２に噛み合う連結機構を介して中間ギア２３によりオシレーティング機構６に伝達される。この結果、ロータ３が糸巻取方向に回転するとともにスプール４が前後に往復移動する。
【００４３】
魚が仕掛けにかかって設定されたドラグ力より強い力で釣り糸を引っ張ると、ドラグ機構６０が作動する。このとき、起動しゃくりが抑制されるとともに、その後のドラグ力も引きの違いに関わらず安定する。
【００４４】
〔他の実施形態〕
（ａ）  前記実施形態では、フロントドラグ型のスピニングリールを例に説明したが、リアドラグ型のスピニングリールや他の形態の釣り用リールのドラグ機構にも本発明を適用できる。
【００４５】
図７には、両軸受リールのスタードラグ型のドラグ機構を示し、図８には、両軸受リールのレバードラグ型のドラグ機構を示し、図９には片軸受リールのドラグ機構を示している。
【００４６】
図７において、スタードラグ型の両軸受リールは、スプール９０と先端にハンドル９９が回転不能に装着されたハンドル軸９１とがクラッチ機構９２を介して連結されたリールである。スプール９０の糸繰り出し方向の回転を制動するドラグ機構９３は、スタードラグ９４の回動操作によりドラグ力が調整される。ドラグ機構９３は、ハンドル９９の回転を伝達する回転伝達機構９５の途中に配置されている。ドラグ機構９３は、ハンドル軸９１に螺合するスタードラグ９４と、スプール９０に連動して回転するメインギア（第１ディスクの一例）９６と、ハンドル軸９１に回転不能に装着されたディスク部材（第２ディスクの一例）９７と、メインギア９６とディスク部材９７との間に配置されたドラグディスク９８とを備えている。ハンドル軸９１は、糸繰り出し方向の回転が禁止されている。メインギア９６のドラグディスク９８との接触面には、２本の環状溝９６ａが形成されている。ディスク部材９７は、スタードラグ９４により押圧されてドラグディスク９８を介してメインギア９６を押圧する。
【００４７】
このような構成のスタードラグ型の両軸受リールのドラグ機構９３でも、環状溝９６ａにより起動しゃくりが改善されかつ引きの違いによるドラグ力の変動を抑えることができる。
【００４８】
図８において、レバードラグ型の両軸受リールは、スプール１０５とスプール軸１０６とがクラッチ機構１０７を介して連結されたリールである。スプール１０５を制動するドラグ機構１００は、ドラグレバー１０１の揺動操作によりスプール軸１０６が軸方向に移動してドラグ力が調整される。ドラグ機構１００は、ハンドル１０２の回転を伝達する回転伝達機構１０３の途中に配置されている。ドラグ機構１００は、スプール９０と連動回転するスプール軸１０６に回転不能に装着された第１ドラグ部１１０と、回転伝達機構１０３に連結された第２ドラグ部１１１とを備えている。回転伝達機構１０３は、糸繰り出し方向の回転が禁止されている。両ドラグ部１１０，１１１は圧接可能に対向して配置されており、ドラグレバー１０１を操作すると第１ドラグ部１１０がスプール軸１０６とともに軸方向に移動し、第２ドラグ部１１１との圧接力が変化しドラグ力が調整される。この第１ドラグ部１１０には、グラファイト製のディスク（第１ディスクの一例）１１０ａが固着されており、第２ドラグ部１１１にはディスク（第２ディスクの一例）１１０ａに対向してステンレス合金製のディスク１１１ａが固着されている。ディスク１１１ａの対向面には、２本の環状溝１１１ｂが同芯に形成されている。
【００４９】
このような構成のドラグ機構１００でも、設定されたドラグ力を超える魚の引きによりスプール１０５が糸繰り出し方向に回転して第２ドラグ部１１１に対して第１ドラグ部１１０が回転すると、前記実施形態と同様な効果が得られる。なお、レバードラグ型の両軸受リールにおいて、スプールに直接ディスクを固着した形態のものにおいても同様な効果が得られる。
【００５０】
図９において、片軸受リールは、ハンドル１２０によりスプール１２１を直接回転させるリールである。スプール１２１を制動するドラグ機構１２２は、ドラグつまみ１２３の揺動操作によりドラグ力が調整される。ドラグ機構１２２は、スプール１２１内部に配置されている。ドラグ機構１２２は、スプール軸１３０にワンウェイクラッチ１２４を介して連結された筒状のホルダ１２５と、ホルダ１２５に装着されたディスク部材１２８と、ディスク部材１２８に接触して配置されたドラグディスク１２６と、ドラグディスク１２６を押圧するための押圧機構１２７とを備えている。ディスク部材１２８のドラグディスク１２６に対向する制動面には、環状溝１２８ａが形成されている。ホルダ１２５の一端面は、２枚のワッシャ１２９ａ，１２９ｂを介してスプール１２１の内側端面に当接している。ワンウェイクラッチ１２４は、ホルダ１２５がスプール軸１３０に対して糸巻上げ方向に回転するのは許容するが、糸繰り出し方向に相対回転するのは禁止する。ドラグディスク１２６はグラファイト製のリング状の部材であり、ホルダ１２５の他端面と押圧機構１２７との間に両者に接触可能に配置されている。
【００５１】
このような実施形態においても、手で釣り糸を引っぱり出すときや魚の引きにより釣り糸が繰り出されるときに前記実施形態と同様な効果が得られる。
【００５２】
（ｂ）  環状溝の形成場所はスプールに連動して回転する第１ディスクに限定されず第２ディスクに形成してもよく、両方のディスクに形成してもよい。
【００５３】
【発明の効果】
本発明によれば、いずれかの制動面に回転方向に沿う環状溝が形成されているので、静摩擦係数と動摩擦係数とが近づきドラグ作動当初に第２ディスクに対して第１ディスクがスムーズに回転を開始し、起動しゃくりを抑えることができる。また糸繰り出し速度に対する依存度合いが小さくなるので、引きの違いによるドラグ力の変動も抑えることができる。
【図面の簡単な説明】
【図１】  本発明の一実施形態を採用したスピニングリールの左側面図。
【図２】  その左断面図。
【図３】  ドラグ機構を示す断面部分図。
【図４】  図３のIV−IV断面図。
【図５】  本発明の一実施形態によるドラグ機構のドラグ性能を示すグラフ。
【図６】  従来例の図５に相当するグラフ。
【図７】  他の実施形態によるスタードラグ型のドラグ機構を有する両軸受リールの断面図。
【図８】  さらに他の実施形態によるレバードラグ型のドラグ機構を有する両軸受リールの断面図。
【図９】  さらに他の実施形態によるドラグ機構を有する片軸受リールの断面図。
【符号の説明】
２  リール本体
４  スプール
４ｋ  壁部（第１ディスクの一例）
６０  ドラグ機構
６１  つまみ部
８１  ディスク（第２ディスクの一例）
８５  環状溝
９３  ドラグ機構
９４  スタードラグ
９６  メインギア
９６ａ  環状溝
９７  ディスク部材
９８  ドラグディスク
１００  ドラグ機構
１０１  ドラグレバー
１１０  第１ドラグ部
１１１  第２ドラグ部
１１１ｂ  環状溝
１２２  ドラグ機構
１２６  押圧機構
１２８  ディスク部材
１２８ａ  環状溝
【図１】
0004834230.tif 000002
【図２】
0004834230.tif 000003
【図３】
0004834230.tif 000004
【図４】
0004834230.tif 000005
【図５】
0004834230.tif 000006
【図６】
0004834230.tif 000007
【図７】
0004834230.tif 000008
【図８】
0004834230.tif 000009
【図９】
0004834230.tif 000010